(57)【要約】【課題】座部の奥行きの深さを、背もたれの前後方向の変位により調節できるようにし、かつ、その背もたれの変位調節操作を、学童などの使用者を着席させたままで、その使用者の身体を見ながら容易に調節できるようにする。【解決手段】椅子の両側に設けられた背もたれ支持部２ｂ，２ｂ間に背もたれ１４を、椅子の前後方向に変位可能に備える。前記両背もたれ支持部２ｂ，２ｂに、後部が上方へ傾斜する長溝状の案内溝１６，１７を設け、該案内溝１６，１７に沿って背もたれ１４を前後方向に移動可能に設ける。背もたれ支持部２ｂ，２ｂと背もたれ１４に、背もたれ１４の移動位置を固定する固定手段２１を設ける。【選択図】図２
2007014372.tif 000002
【特許請求の範囲】
【請求項１】
両側に設けられた背もたれ支持部の間に背もたれを、椅子の前後方向に変位可能に備えたことを特徴とする椅子。
【請求項２】
両側に設けられた背もたれ支持部の間に背もたれを、椅子の前後方向に移動可能に、かつ、移動位置を固定できるように備えたことを特徴とする椅子。
【請求項３】
前記背もたれを、該背もたれが後方に移動するほど高い位置に移動するようにしたことを特徴とする請求項１又は２記載の椅子。
【請求項４】
前記両背もたれ支持部に、後部が上方へ傾斜する長溝状の案内溝を設け、該案内溝に沿って背もたれを前後方向に移動可能に設け、かつ、背もたれ支持部と背もたれに、背もたれの移動位置を固定する固定手段を設けたことを特徴とする請求項１又は２又は３記載の椅子。
【請求項５】
両側に設けた背もたれ支持部に、該背もたれ支持部を内外に貫通する調節穴を、椅子の前後方向に長い長穴で、かつ、後部が上方へ傾斜するように形成し、更に、両背もたれ支持部の内面に、前記調節穴の上部と下部に位置し、かつ、前記調節穴と平行した長溝状の案内溝を形成し、両背もたれ支持部間に、背もたれを配置するとともに、該背もたれの両側端面に突設したピンを前記案内溝に摺動可能に嵌合して背もたれを前後方向に移動可能に設け、更に、前記調節穴を通じて背もたれの移動位置を固定する固定手段を設けたことを特徴とする椅子。
【請求項６】
前記固定手段を、背もたれの両側端面にナットを固設し、ボルトを背もたれ支持部の外側から前記調節穴を通じて前記ナットに螺着して背もたれを固定するように構成したことを特徴とする請求項５記載の椅子。
【発明の詳細な説明】
【技術分野】
【０００１】
本発明は椅子に関する。
【背景技術】
【０００２】
従来、木製の学童椅子においては、椅子に対する学童の前後方向の着席位置を調節する方法として、座部（シート）のみを前後方向に移動させるものが知られている。
【発明の開示】
【発明が解決しようとする課題】
【０００３】
前記従来のように、座部（シート）のみを前後方向に移動して着席位置を調節するものにおいては、座部の前後位置を調節する場合、学童を座部に着席させたままの状態で調節することは、座部に学童の荷重がかかり、操作者が座部を動かすことが困難であり、更に、座部を固定しているボルトなどが操作しにくい座部下面などにあるため、学童を椅子から降したり、腰を浮かせたりする必要があり、その調節操作が不便であった。
【０００４】
そこで本発明は、座部の位置が概略設定できれば、学童を座部に着席させたままの状態で、背もたれの前後方向の位置を調節することで最適な着席位置を設定できるようにし、かつ、その調節操作も容易な椅子を提供することを目的とするものである。
【課題を解決するための手段】
【０００５】
前記の課題を解決するために、請求項１記載の発明は、両側に設けられた背もたれ支持部の間に背もたれを、椅子の前後方向に変位可能に備えたものである。
【０００６】
請求項２記載の発明は、両側に設けられた背もたれ支持部の間に背もたれを、椅子の前後方向に移動可能に、かつ、移動位置を固定できるように備えたことを特徴とするものである。
【０００７】
上記発明においては、背もたれを前後方向に移動して位置を変えることにより、座面の奥行きを調整し、椅子の使用者（着席者）の身体に合った椅子に調節できる。
【０００８】
請求項３記載の発明は、請求項１又は２記載の発明において、前記背もたれを、該背もたれが後方に移動するほど高い位置に移動するようにしたことを特徴とするものである。
【０００９】
本発明においては、椅子の使用者の身長が大きくなった場合に、背もたれを後方へ移動して位置を変えて座面の奥行きを深くすると、背もたれの位置も高くなり、背もたれの位置を、身長が高くなった使用者の坐高に合わせることができる。
【００１０】
請求項４記載の発明は、請求項１又は２又は３記載の発明において、前記両背もたれ支持部に、後部が上方へ傾斜する長溝状の案内溝を設け、該案内溝に沿って背もたれを前後方向に移動可能に設け、かつ、背もたれ支持部と背もたれに、背もたれの移動位置を固定する固定手段を設けたことを特徴とするものである。
【００１１】
本発明おいては、案内溝を、後部が上方へ傾斜する長溝状に形成したので、背もたれの位置を前後方向に無段階に調整できる。
【００１２】
請求項５記載の発明は、両側に設けた背もたれ支持部に、該背もたれ支持部を内外に貫通する調節穴を、椅子の前後方向に長い長穴で、かつ、後部が上方へ傾斜するように形成し、更に、両背もたれ支持部の内面に、前記調節穴の上部と下部に位置し、かつ、前記調節穴と平行した長溝状の案内溝を形成し、両背もたれ支持部間に背もたれを配置するとともに、該背もたれの両側端面に突設したピンを前記案内溝に摺動可能に嵌合して背もたれを前後方向に移動可能に設け、更に、前記調節穴を通じて背もたれの移動位置を固定する固定手段を設けたことを特徴とするである。
【００１３】
請求項６記載の発明は、請求項５記載の発明において、前記固定手段を、背もたれの両側端面にナットを固設し、ボルトを背もたれ支持部の外側から前記調節穴を通じて前記ナットに螺着して背もたれを固定するように構成したことを特徴とするものである。
【００１４】
請求項５及び６記載の発明においても、前記のように、背もたれを前後方向に無段階で移動調節することができる。
【発明の効果】
【００１５】
請求項１及び２記載の発明によれば、例えば学童などの椅子の使用者に対する座部（シート）の位置を概略設定し、その使用者を座部に着席させたままの状態で背もたれを前後方向に移動して背もたれの位置を調節することで、使用者に合った座面の奥行きに調節することができる。
【００１６】
この背もたれの位置を変える操作を行なう位置は、操作者が立った状態で操作できる背もたれの位置であるため、前記従来のような座部下面での操作に比べて、極めて容易に背もたれの移動調節ができる。
【００１７】
更に、背もたれの位置調節操作が背もたれ部で行なえるため、使用者を着席させたまま、使用者の身体の状態、すなわち、背の位置や正しい着座姿勢を見ながら背もたれの位置調節が行え、背もたれを最適な位置に容易に設定することができる。
【００１８】
請求項３記載の発明によれば、背もたれを後部へ移動（変位）させることにより、その背もたれを高い位置に移動（変位）させることができることから、使用者の身長が大きくなるにつれて、座面の奥行きを深くし、かつ、長くなった坐高に合わせて背もたれを高くし、使用者に合った最適な椅子にすることができる。
【００１９】
請求項４乃至６記載の発明によれば、更に、背もたれの前後方向の移動調節が無段階に行なえ、その背もたれの位置の細かい微調整が可能になる。
【発明を実施するための最良の形態】
【００２０】
本発明を実施するための最良の形態を図に基づいて説明する。
椅子１を構成する支持枠２，２は木製の厚い板材で形成され、椅子１の両側に位置して一対設けられている。該支持枠２，２は、下部が前方（図１においてＡ側を前側とし、Ｂ側を後側とする）に位置し、上部が後方に位置するように、すなわち、後傾姿勢に傾斜して設けられている。更に、該支持枠２，２は、その下部が前脚部２ａを構成し、上部が背もたれ支持部２ｂを構成し、中間部が座部支持部２ｃを構成している。
【００２１】
前記支持枠２，２の後側には、椅子１の両側に位置して一対の木製の後脚３，３が設けられており、該後脚３，３の上部は支持枠２，２の上部付近に固着され、下部は、連結材４，４を介して支持枠２，２の下端に連結されている。
【００２２】
なお、前記両支持枠２，２は共に同一構造に形成され、また後脚３，３も共に同一構造に形成されているため、両支持枠２，２の同一構造部には同一符号を用い、両後脚３，３の同一構造部には同一符号を付して説明する。
【００２３】
前記両支持部２，２の下部の内側面には、前後方向に嵌合溝５，５が複数、上下に位置して平行に形成されている。そして、１枚の木製のステップ６の両端を、前記複数の嵌合溝５，５のうちの所望の高さにある嵌合溝５，５に前方から着脱可能に嵌入できるようになっている。更に、支持枠２，２の下部には、前記各嵌合溝５，５に位置してステップ取付穴７，７が形成されており、前記のように所望の位置の嵌合溝５，５に嵌入したステップ６を、ステップ取付穴７，７を通じてボルトにより固定できるようになっている。
【００２４】
したがって、ステップ６を、椅子１の使用者に適する高さの位置に変更して固定できるようになっている。
【００２５】
更に、支持枠２，２が前記のように、後傾姿勢に傾斜していることにより、各嵌合溝５は、その下段の嵌合溝５に対して上段の嵌合溝５が後方に位置するため、ステップ６を最下段の嵌合溝５に対して上方の嵌合溝５に順次差し換えるほど、すなわち、ステップ６の位置を高くするほど、ステップ６を椅子１の後方側へ位置させることができるようになっている。
【００２６】
前記両支持枠２、２の座部支持部２ｃ，２ｃには、複数の前側座部取付穴８，８が、上下方向に所定の間隔を有して形成されている。更に、後脚３，３部にも、複数の後側座部取付穴９，９が上下方向に所定の間隔を有して形成されている。該後側座部取付穴９，９の上下方向の形成間隔は、前記支持枠２側の前側座部取付穴８，８の上下方向の間隔と同等に設定されている。なお、後側座部取付穴９，９は、前側座部取付穴８，８に対応して前側座部取付穴８，８と同数形成され、かつ、これらの両取付穴８，９に取付けられる後述する座部１０の後方が若干下降するように、後側座部取付穴９が前側座部取付穴８に対して若干下方に位置して形成されている。
【００２７】
前記両支持枠２，２間には座部１０が配置されており、その座部１０における木製の基枠部１１の両側面の前側には、座部側取付穴１２が形成されている。また、基枠部１１の両側面の後側には複数の座部側取付穴１３が前後方向に所定の間隔を有して形成されている。
【００２８】
そして、ボルトを両支持枠２，２に形成した前側座部取付穴８，８を通じて座部側取付穴１２に螺合し、更に、ボルトを後脚３に形成した後側座部取付穴９，９を通じて座部側取付穴１３に螺合することにより、座部１０を両支持枠２，２間に着脱可能に取付けるようになっている。
【００２９】
前記のように、支持枠２，２の前側座部取付穴８と後脚３の後側座部取付穴９が、共に上下方向に複数形成されていることにより、これらの取付穴を選択して座部１０の高さを調節することができる。更に、支持枠２，２が前記のように、後傾姿勢に傾斜していることにより、支持枠２，２の前側座部取付穴８は、下段の前側座部取付穴８に対して上段の前側座部取付穴８が後方に位置するため、座部１０を最下段の前側座部取付穴８に対して上方の前側座部取付穴８に順次取付けるほど、すなわち、座部１０の取付け位置を高くするほど、座部１０を椅子１の後方側へ位置させることができる。なお、座部側取付穴１３は、前後方向に複数形成されており、座部１０の高さ及び前後方向の位置の変更によっても座部側取付穴１３が後脚３側の後脚座部取付穴９に対応して座部１０の後部を後脚３に取付けできるようになっている。
【００３０】
次に、背もたれ１４について、図２乃至図８により説明する。
前記両支持枠２，２における上部である背もたれ支持部２ｂ、２ｂには、調節穴１５，１５が形成されている。該調節穴１５，１５は、背もたれ支持部２ｂ，２ｂの内外面に貫通する穴で、かつ、椅子１の前後方向に長い長穴で形成されている。更に、該調節穴１５は、図８に示すように、その前側が下降し、後側が上昇するように、水平面に対して、所定の角度θ１に傾斜している。
【００３１】
更に、背もたれ支持部２ｂ，２ｂの外面には、前記調節穴１５，１５の外周において、後述するボルト２１の頭部２１ａが嵌合する長溝１５ｃが形成されている。
【００３２】
更に、前記調節穴１５は、両背もたれ支持部２ｂ，２ｂにそれぞれ１本づつ、同一高さで、かつ、同一傾斜で形成されている。
【００３３】
また、前記背もたれ支持部２ｂ，２ｂの内面側には、前記調節穴１５，１５の上部と下部に位置して上部案内溝１６と下部案内溝１７が、調節穴１５，１５と平行して、すなわち、調節穴１５と同一角度θ１に傾斜して形成されている。更に、該案内溝１６，１７は、前後方向に、前記調節穴１５と同一長さの長溝状に形成されている。更に、該案内溝１６，１７は図６に示すように、背もたれ支持部２ｂ，２ｂの外面に貫通することなく内面側にのみ開口した溝で形成されている。
【００３４】
更に、前記１本の調節穴１５の長さと、両案内溝１６，１７の長さは、同一長に形成され、かつ、それぞれの前端部１５ａ，１６ａ，１７ａは、水平に対して所定の角度θ２の１つの線Ｘ上に位置し、また、それぞれの後端部１５ｂ，１６ｂ，１７ｂも前記角度θ２の１つの線Ｙ上に位置して形成されている。
【００３５】
なお、実施例では、前記θ１を約２５度に設定し、前記θ２を約７５度に設定した。
前記椅子１の両側に配置された支持枠２，２における背もたれ支持部２ｂ，２ｂ間には、木製で板状の背もたれ１４が配置されている。
【００３６】
該背もたれ１４の左右方向の両端面には、その上下方向の略中央部に位置して図４及び図７に示すように、固定手段であるナット１８が埋設され、その雌ねじ１８ａが背もたれ１４の端面に開口している。更に、背もたれ１４の前記両端面には、前記ナット１８の上部と下部に位置して上部案内ピン１９と下部案内ピン２０が突出して固設されている。この上部案内ピン１９と下部案内ピン２０と前記両案内溝１６，１７により背もたれ１４の移動を案内する案内手段を構成している。
【００３７】
ナット１８と両案内ピン１９，２０の設定位置は、図８の鎖線で示すように、背もたれ１４を前記の角度θ２に傾斜して配置した状態において、ナット１８が前記調節穴１５に位置し、上部案内ピン１９が上部案内溝１６に位置し、下部案内ピン２０が下部案内溝１７に位置するように設定されている。更に、図７に示すように、前記上部案内ピン１９の直径は上部案内溝１６の溝幅と略同径で上部案内溝１６内を長手方向に摺動できる径に設定され、また、下部案内ピン２０の直径は、下部案内溝１７の溝幅と略同径で下部案内溝１７内を長手方向に摺動できる径に設定され、両案内ピン１９，２０を両案内溝１６，１７に嵌合した状態において、背もたれ１４を前後方向に移動すると、背もたれ１４が前記の傾斜角θ２を略維持して前後に移動するようになっている。
【００３８】
背もたれ１４は、椅子１の組立て時において、上部案内ピン１９を上部案内溝１６に嵌合し、下部案内ピン２０を下部案内溝１７に嵌合した状態で両支持枠２，２間に組付け配置されている。そして、背もたれ１４を前後方向の所望の位置に配置し、図７に示すように、固定手段であるボルト２１、例えば大頭ボルトを、両背もたれ支持部２ｂ，２ｂに形成した調節穴１５，１５を通じてナット１８に螺合して締付け、背もたれ１４を支持枠２，２間に固定配置する。
【００３９】
また、この固定した背もたれ１４を前後方向に変位（移動）調節する場合は、ボルト２１を緩めて背もたれ１４を案内溝１９，２０に沿って所望の位置に移動し、その位置でボルト２１を締めることにより、その位置に固定できる。
【００４０】
背もたれ１４の取付構造を前記のように構成したことにより、背もたれ１４を、最前部から後方へ移動すると、背もたれ１４は、所定の傾斜θ２を維持しながら後方へ移動するとともに、その後方へ移動するほど角度θ１に沿って高い位置へ移動する。
【００４１】
更に、調節穴１５を長穴に形成し、両案内溝１６，１７を長溝状に形成したので、背もたれ１４が無段階に変位でき、細かい微調整が可能になる。
【００４２】
次に、椅子１の使用状態について説明する。
例えば、使用者が子供であって、その身体が小さいときには、座部１０を取付穴８，９における上方の取付穴を使用して高い位置に取付け、ステップ６を上方の嵌合溝５に嵌合して高い位置に取付ける。また、背もたれ１４を調節穴１５の前方位置において取付ける。
【００４３】
そして、身体が大きくなるほど、座部１０を、下方の取付穴８，９を使用して下方位置に取付け、ステップ６を下方の嵌合溝５を使用して下方位置に取付ける。また、背もたれ１４を、調節穴１５の後方位置において取付ける。
【００４４】
このとき、座部１０を下方へ下げるほど、座部１０が前方へ位置し、座面の奥行きが深くなる。
【００４５】
また、ステップ６を下方に下げるほど、ステップ６は前方に位置する。
更に、背もたれ１４を後方へ移動させるほど、座面の奥行きが深くなり、かつ、背もたれの位置も高くなる。
【００４６】
したがって、身長の変化に合った形態の椅子に変化させることができる。
更に、本発明のおいては、背もたれ１４の位置合わせ（変位調節）を、背もたれ１４のみを移動して行えるため、次のような効果がある。
【００４７】
背もたれ１４の位置合わせは、ボルト２１を緩めた状態で背もたれ１４を調節穴１５の後方に位置させておき、子供を座部１０上に座らせた後、操作者が、その子供の身体の姿勢を見ながら、すなわち、姿勢を正しながら、前記の背もたれ１４を前方へ移動して子供の背に当て、その位置でボルト２１を締め付ける。
【００４８】
このとき、移動させるのは背もたれ１４のみであるため、その移動部品が軽く容易に調節操作が行なえる。更に、調節操作を行なう者は、椅子１の後部に立った状態で子供の背を見ながら行なえるため、従来のように、座部下面で調節操作を行なうものに比べて作業が極めて容易で楽に行え、かつ、背もたれを最適な位置に調節することができる。
【００４９】
更に、背もたれ１４の変位（移動）調整が無段階で微調整できる。
なお、前記実施例では、背もたれ支持部２ｂを前脚部２ａと座部支持部２ｃを有する１本状の支持枠２で形成したが、このように形成することなく、背もたれ支持部２ｂのみを椅子の基枠部材から独立的に設け、この背もたれ支持部に前記の構造により背もたれ１４を設けるようにしてもよい。
【産業上の利用可能性】
【００５０】
本発明は、通常の椅子に適用できるが、特に木製の学習机用の木製の椅子に適用するとよい。
【図面の簡単な説明】
【００５１】
【図１】本発明の実施例を示す椅子の斜視図。
【図２】本発明の実施例における背もたれ部の斜視図。
【図３】図２における背もたれ支持部の斜視図。
【図４】図２における背もたれの端面部を示す斜視図。
【図５】図３の背もたれ支持部の内面図。
【図６】図５におけるＣ−Ｃ線断面図。
【図７】図２における背もたれ支持部と背もたれとの連結部を示す断面図。
【図８】本発明の背もたれ支持部に対する背もたれの変位状態を示す図。
【符号の説明】
【００５２】
１      椅子
２ｂ    背もたれ支持部
１４    背もたれ
１５    調節穴
１６，１７  案内溝
１８    固定手段であるナット
１９，２０  ピン
２１    固定手段であるボルト
θ１，θ２  傾斜角
【図１】
2007014372.tif 000003
【図２】
2007014372.tif 000004
【図３】
2007014372.tif 000005
【図４】
2007014372.tif 000006
【図５】
2007014372.tif 000007
【図６】
2007014372.tif 000008
【図７】
2007014372.tif 000009
【図８】
2007014372.tif 000010